(57)【要約】  【課題】  バッテリーに直付けするヒューズユニットに設けることのできる溶断部の個数を増やし、バッテリーに電線を介して接続する他のヒューズユニットを不要とする。  【解決手段】  入力端子部と、複数の出力端子部と、該入力端子部と出力端子部との間に細幅とした溶断部とを備えた導電性金属板からなるバスバーの一部を樹脂製のハウジング内に固定した複数のヒュージブルリンクを該ハウジングに設けた係止突起と被係止部と係止させて組み合わせてなり、少なくとも１つのヒュージブルリンクのバスバーの入力端子部はバッテリー端子との接続用とされる一方、他のヒュージブルリンクのバスバーの入力端子部は前記バッテリー端子に接続されるバスバーに接続され、各ヒュージブルリンクのバスバーの複数の出力端子部は並列配置され、複数のヒュージブルリンクを組み合わせた状態で出力端子部が複数段に配置されている。  【選択図】  図１
2007087823.tif 000002
【特許請求の範囲】
【請求項１】
入力端子部と、複数の出力端子部と、該入力端子部と出力端子部との間に細幅とした溶断部とを備えた導電性金属板からなるバスバーの一部を樹脂製のハウジング内に固定したヒュージブルリンクを複数組み合わせてなり、
前記各ヒュージブルリンクのハウジングに、前記バスバーの出力端子部を内部に突出させるコネクタ嵌合部が設けられると共に、所要のヒュージブルリンクのハウジングには係止突起が設けられる一方、他のヒュージブルリンクのハウジングには前記係止突起により係止される被係止部が設けられ、
前記ヒュージブルリンクのうち少なくとも１つのヒュージブルリンクのバスバーの入力端子部は、バッテリーボックスのバッテリーポストに接続するバッテリー端子との接続用とされる一方、他のヒュージブルリンクのバスバーの入力端子部は前記バッテリー端子に接続される前記バスバーに接続され、
各ヒュージブルリンクのバスバーの複数の出力端子部は前記コネクタ嵌合部内で並列配置され、前記係止突起と被係止部との係止により複数のヒュージブルリンクを組み合わせた状態で前記コネクタ嵌合部同士が重ね合わされて、出力端子部が複数段に配置される構成としていることを特徴とするバッテリー接続用のヒューズユニット。
【請求項２】
前記バッテリー端子に接続されるバスバーを備えた１つのヒュージブルリンクのハウジングに前記係止突起が設けられる一方、他のヒュージブルリンクのハウジングに前記被係止部が設けられ、
前記係止突起がコネクタ嵌合部の外壁外面から突出するＴ字状とされると共に前記被係止部が前記コネクタ嵌合部の対向壁を貫通するスリットとされ、該スリットに前記Ｔ字の縦軸を貫通させて横軸を外壁外面に係止させると共に、貫通する縦軸がコネクタ嵌合部の仕切壁とされている請求項１に記載のバッテリー接続用のヒューズユニット。
【請求項３】
前記バッテリー端子に接続されるバスバーを備えた１つのヒュージブルリンクのハウジングに前記係止突起が設けられる一方、他のヒュージブルリンクのハウジングに前記被係止部が設けられ、
前記係止突起がコネクタ嵌合部の外壁の両側よりそれぞれ突設されるＬ字状とされると共に前記被係止部が前記他のヒュージブルリンクのコネクタ嵌合部の両側壁とされ、これら両側壁に前記Ｌ字状の係止突起が外嵌係止される請求項１に記載のバッテリー接続用のヒューズユニット。
【請求項４】
前記１つのヒュージブルリンクのバスバーは、そのバッテリー端子との接続用の入力端子部がバッテリー端子にボルト締結されると共に、該バスバーの入力端子部と溶断部の間で他のヒュージブルリンクのバスバーの入力端子部とボルト締結され、
前記ボルト締結部および前記溶断部はバッテリーボックスの上面に配置される一方、前記バスバーの出力端子部が収容されるコネクタ嵌合部は前記バッテリーボックスの側面に沿って配置される請求項１乃至請求項３のいずれか１項に記載のバッテリー接続用のヒューズユニット。
【発明の詳細な説明】
【技術分野】
【０００１】
本発明は、バッテリー接続用のヒューズユニットに関し、詳しくは、自動車に搭載されるバッテリーボックスのバッテリーポストに嵌合接続するバッテリー端子に接続してバッテリーボックス上に搭載するものである。
【背景技術】
【０００２】
従来、自動車に搭載されるバッテリーボックスのバッテリーポストにバッテリーヒューズを接続しており、バッテリーポストに嵌合するバッテリー端子に電線を介さずに直付けするヒューズユニットが提供されている。
本出願人は、特開２００１−２５６８７８号公報（特許文献１）において、図９に示す直付けのバッテリー接続用のヒューズユニット１を提供しており、該ヒューズユニット１は、図９（Ｂ）に示す入力端子部２ａと、複数の出力端子部２ｂと、該入力端子部２ａと出力端子部２ｂとの間に溶断部２ｃとを備えた導電性金属板からなる１枚のバスバー２を樹脂製のハウジング３内にモールドしている。バスバー２の入力端子部２ａは、バッテリーボックス４のバッテリーポスト５に嵌合したバッテリー端子６にボルト６ａとナット７により締結固定する一方、バスバー２の出力端子部２ｂは電線ｗ端末の端子８に接続している。
前記ヒューズユニット１であれば、電線を介することなくバッテリーヒューズをバッテリーに直付けすることができ、電気接続の信頼性を向上させると共に、車両内のバッテリー以外の場所にヒューズユニットの設置スペースを設ける必要がなくなる。
【０００３】
しかしながら、特許文献１で提供しているヒューズユニット１であると、１枚のバスバー２によりヒューズユニット１の回路を形成しているため、溶断部２ｃの個数を増やすとヒューズユニット１が左右方向に大きくなる。よって、スペース上の理由により設けることのできる溶断部の個数が制限される。従って、バッテリーボックスに直付けするヒューズユニットに設けることのできる個数よりも多くの溶断部が必要となった場合、別のヒューズユニット（ボックス）を電線を介してバッテリーと接続し、車両の他のスペースに配置しなければならない。
【特許文献１】特開２００１−２５６８７８号公報
【発明の開示】
【発明が解決しようとする課題】
【０００４】
本発明は前記問題に鑑みてなされたものであり、バッテリーに直付けするヒューズユニットに設けることのできる溶断部の個数を増やし、バッテリーに電線を介して接続する他のヒューズユニット（ボックス）を不要とすることを課題としている。
【課題を解決するための手段】
【０００５】
前記課題を解決するため、本発明は、入力端子部と、複数の出力端子部と、該入力端子部と出力端子部との間に細幅とした溶断部とを備えた導電性金属板からなるバスバーの一部を樹脂製のハウジング内に固定したヒュージブルリンクを複数組み合わせてなり、
前記各ヒュージブルリンクのハウジングに、前記バスバーの出力端子部を内部に突出させるコネクタ嵌合部が設けられると共に、所要のヒュージブルリンクのハウジングには係止突起が設けられる一方、他のヒュージブルリンクのハウジングには前記係止突起により係止される被係止部が設けられ、
前記ヒュージブルリンクのうち少なくとも１つのヒュージブルリンクのバスバーの入力端子部は、バッテリーボックスのバッテリーポストに接続するバッテリー端子との接続用とされる一方、他のヒュージブルリンクのバスバーの入力端子部は前記バッテリー端子に接続される前記バスバーに接続され、
各ヒュージブルリンクのバスバーの複数の出力端子部は前記コネクタ嵌合部内で並列配置され、前記係止突起と被係止部との係止により複数のヒュージブルリンクを組み合わせた状態で前記コネクタ嵌合部同士が重ね合わされて、出力端子部が複数段に配置される構成としていることを特徴とするバッテリー接続用のヒューズユニットを提供している。
【０００６】
前記構成によれば、バッテリーに接続するヒューズユニットを複数のヒュージブルリンクにより構成し、これらヒュージブルリンクを重ねて配置しているため、バッテリーボックス外面の限られたスペースに配置するヒューズユニットに多数の溶断部と出力端子部を設けることができる。よって、ヒューズユニットに設ける溶断部と出力端子部の個数が増えても、重ねて配置するヒュージブルリンクの個数を増やすことで全て直付けで対応できるため、バッテリーに電線を介して接続するヒューズボックスを不要とすることができる。
また、共用の溶断部および出力端子部とオプション用の溶断部および出力端子部とを異なるヒュージブルリンクに設けておけば、必要なヒュージブルリンクのみをバッテリーボックスに取り付ければよく、車種やグレードに応じて個別にヒューズユニットを設ける必要がない。
【０００７】
さらに、各ヒュージブルリンクのハウジングに、前記バスバーの出力端子部を内部に突出させるコネクタ嵌合部が設けられているため、該コネクタ嵌合部にワイヤハーネスに接続した相手方のコネクタを嵌合するだけで容易にヒューズユニットにワイヤハーネスを接続することができる。
【０００８】
さらにまた、ヒュージブルリンクのハウジングに設けた係止突起と被係止部を係止することにより、予め複数のヒュージブルリンクを組み付けて互いに保持しているため、ヒューズユニットをバッテリーボックスに取り付ける際に、組み付けたヒュージブルリンク同士が位置ズレすることがなく取付作業を容易にすることができる。また、バッテリーボックスに取り付けた後においても、複数のヒュージブルリンクが互いに組み付けられた状態となっているため、バッテリー端子に接続されるバスバーと他のバスバーの入力端子部との接続箇所にのみ負荷がかかるのを防止することができ、これらバスバー同士を安定した状態で接続して、電気接続の信頼性を高めることができる。
【０００９】
具体的には、前記係止突起がコネクタ嵌合部の外壁外面から突出するＴ字状とされると共に前記被係止部が前記コネクタ嵌合部の対向壁を貫通するスリットとされ、該スリットに前記Ｔ字の縦軸を貫通させて横軸を外壁外面に係止させると共に、貫通する縦軸がコネクタ嵌合部の仕切壁とされている。
【００１０】
また、前記係止突起がコネクタ嵌合部の外壁の両側よりそれぞれ突設されるＬ字状とされると共に前記被係止部が前記他のヒュージブルリンクのコネクタ嵌合部の両側壁とされ、これら両側壁に前記Ｌ字状の係止突起が外嵌係止される構成としてもよい。
【００１１】
前記１つのヒュージブルリンクのバスバーは、そのバッテリー端子との接続用の入力端子部がバッテリー端子にボルト締結されると共に、該バスバーの入力端子部と溶断部の間で他のヒュージブルリンクのバスバーの入力端子部とボルト締結され、
前記ボルト締結部および前記溶断部はバッテリーボックスの上面に配置される一方、前記バスバーの出力端子部が収容されるコネクタ嵌合部は前記バッテリーボックスの側面に沿って配置されることが好ましい。
【００１２】
前記構成によれば、前記ヒューズユニットがバッテリーボックスの上面から側面にかけて沿うコンパクトな形状とすることができ、ヒューズユニットの設置スペースを最小限に抑えることができる。
また、溶断部をバッテリーボックスの上面に配置しているため、エンジンルーム内において種々の搭載部品がバッテリーボックスの周囲で密集して配置されていたとしても、ヒューズユニットを覆うカバーに設けられたヒンジを介して該カバーを開けることにより、溶断部が溶断しているか否かを容易に確認することができ、ヒューズユニットをバッテリーボックスから取り外して確認する等の作業工数を減らすこともできる。
【発明の効果】
【００１３】
前述したように、本発明によれば、バッテリーに接続するヒューズユニットを複数のヒュージブルリンクにより構成し、これらヒュージブルリンクを重ねて配置しているため、バッテリーボックス外面の限られたスペースに配置するヒューズユニットに多数の溶断部と出力端子部を設けることができる。よって、バッテリー接続用のヒューズユニットに設ける溶断部と出力端子部の個数が増えても、重ねて配置するヒュージブルリンクの個数を増やすことで全て直付けで対応できるため、バッテリーに電線を介して接続するヒューズボックスを不要とすることができる。
【００１４】
また、ヒュージブルリンクのハウジングに設けた係止突起と被係止部を係止することにより、予め複数のヒュージブルリンクを組み付けて互いに保持しているため、ヒューズユニットをバッテリーボックスに取り付ける際に、組み付けたヒュージブルリンク同士が位置ズレすることがなく取付作業を容易にすることができる。また、バッテリーボックスに取り付けた後においても、複数のヒュージブルリンクが互いに組み付けられた状態となっているため、バッテリー端子に接続されるバスバーと他のバスバーの入力端子部との接続箇所にのみ負荷がかかるのを防止することができ、これらバスバー同士を安定した状態で接続して、電気接続の信頼性を高めることができる。
【発明を実施するための最良の形態】
【００１５】
本発明の実施形態を図面を参照して説明する。
図１乃至図５は、本発明の第１実施形態を示し、バッテリー接続用のヒューズユニット１０はバッテリーボックス７０の上面から側面にかけて沿わせた状態で搭載している。
【００１６】
ヒューズユニット１０は、バッテリーポスト７１に接続したバッテリー端子６０に接続するバスバー２２を樹脂製のハウジング２１に固定した第１ヒュージブルリンク２０と、第１ヒュージブルリンク２０のバスバー２２に接続するバスバー３２を樹脂製のハウジング３１に固定した第２ヒュージブルリンク３０と、これら第１、第２ヒュージブルリンク２０、３０に被せるカバー４０とからなる。
【００１７】
第１ヒュージブルリンク２０のバスバー２２には、図３（Ａ）に示すように、ボルト孔２２ｂを穿設した入力端子部２２ａを設けており、該入力端子部２２ａの下流側にそれぞれボルト部２２ｄ、２２ｆを突設した２つの端子接続部２２ｃ、２２ｅを設けている。入力端子部２２ａと一方の端子接続部２２ｅとの間にはバスバー２２を部分的に細幅とした溶断部２２ｇを介在させている。端子接続部２２ｃ、２２ｅの下流側にはバスバー２２を部分的に細幅とした溶断部２２ｈをぞれぞれ２つずつ設け、これら溶断部２２ｈのさらに下流側を直交方向に屈曲させ、屈曲側にそれぞれ出力端子部２２ｉを設けている。これら出力端子部２２ｉは一列で並列配置している。
なお、本実施形態ではバスバー２２の上面にボルト部２２ｄ、２２ｆを立設しているが、ハウジング２１内にボルト頭部を埋設固定したボルトをバスバー２２を貫通させてバスバー２２の上面側に突出させる構成としてもよい。
【００１８】
ハウジング２１は前記バスバー２２の形状に沿った水平部２１ａと垂直部２１ｂとからなるＬ字状としている。ハウジング２１の水平部２１ａ内にバスバー２２を部分的にモールドし、バスバー２２の入力端子部２２ａ、端子接続部２２ｃ、２２ｅ、溶断部２２ｇ、２２ｈを外部に露出させている。一方、ハウジング２１の垂直部２１ｂには下面開口のコネクタ嵌合部２１ｃを２つ設け、該コネクタ嵌合部２１ｃ内にバスバー２２の出力端子部２２ｉを突出させている。コネクタ嵌合部２１ｃの両側外壁にはコネクタ係止用の係止孔２１ｄを設けている。
また、コネクタ嵌合部２１ｃの外壁の外面には水平断面Ｔ字状の係止突起２１ｅを水平部２１ａと反対方向に突設しており、該係止突起２１ｅは平板状の縦軸２１ｅ−１と該縦軸２１ｅ−１の先端から両側に突出させた横軸２１ｅ−２とからなる。
さらに、ハウジング２１の屈曲位置の外面側両隅部には、位置決め溝２１ｆを設けている。
【００１９】
第２ヒュージブルリンク３０のバスバー３２には、図４（Ａ）に示すように、ボルト孔３２ｂを穿設した入力端子部３２ａを設けており、該入力端子部３２ａの下流側を分岐している。該分岐側にはバスバー３２を部分的に細幅とした溶断部３２ｃを設け、これら溶断部３２ｃの下流側を直交方向に屈曲させ、屈曲側にそれぞれ出力端子部３２ｄを設けている。これら出力端子部３２ｄは一列で並列配置している。
【００２０】
ハウジング３１は前記バスバー３２の形状に沿った水平部３１ａと垂直部３１ｂとからなるＬ字状としている。ハウジング３１の水平部３１ａ内にバスバー３２を部分的にモールドし、バスバー３２の入力端子部３２ａ、溶断部３２ｃを外部に露出させている。一方、ハウジング３１の垂直部３１ｂには下面開口のコネクタ嵌合部３１ｃを２つ設け、該コネクタ嵌合部３１ｃ内にバスバー３２の出力端子部３２ｄを突出させている。コネクタ嵌合部３１ｃの外壁のうち、２つのコネクタ嵌合部３１ｃに亙って延在する外壁３１ｃ−１（図４（Ｄ）中、左右方向に延在する外壁）には２つのコネクタ嵌合部３１ｃの境界位置に第１ヒュージブルリンク２０の係止突起２１ｅの縦軸２１ｅ−１を挿入するスリット３１ｅを対向させて設けている。該スリット３１ｅの開口端側はスリット幅を拡径させて係止突起２１ｅの挿入を容易にしている。また、コネクタ嵌合部３１ｃの両側の外壁３１ｃ−２（図４（Ｄ）中、上下方向に延在する外壁）にはコネクタ係止用の係止孔３１ｄを設けている。
さらに、ハウジング３１の屈曲位置の内面側両隅部には、位置決めリブ３１ｆを設けている。
【００２１】
前記第１ヒュージブルリンク２０と第２ヒュージブルリンク３０とは、図５に示すように、重ね合わせるようにして組み合わせている。具体的には、第１ヒュージブルリンク２０の外面に第２ヒュージブルリンク３０の内面を沿わせて、第１ヒュージブルリンク２０の係止突起２１ｅの縦軸２１ｅ−１を第２ヒュージブルリンク３０のコネクタ嵌合部３１ｃに設けたスリット３１ｅに挿入している。このとき、係止突起２１ｅの縦軸２１ｅ−１がコネクタ嵌合部３１ｃを貫通して仕切壁となると共に、係止突起２１ｅの横軸２１ｅ−２の内面が被係止部であるコネクタ嵌合部３１ｃの外壁外面に当接され、第２ヒュージブルリンク３０が第１ヒュージブルリンク２０に対して位置決めされる。また、第２ヒュージブルリンク３０の位置決めリブ３１ｆが第１ヒュージブルリンク２０の位置決め溝２１ｆに嵌合して第１、第２ヒュージブルリンク２０、３０の屈曲部分においても互いに位置決めされる。さらに、第２ヒュージブルリンク３０の入力端子部３２ａのボルト孔３２ｂに第１ヒュージブルリンク３０の端子接続部２２ｅに設けたボルト部２２ｆが貫通されて、入力端子部３２ａが端子接続部２２ｅに重ね合わされる。このように、第１、第２ヒュージブルリンク２０、３０を重ね合わせた状態では、第１ヒュージブルリンク２０の出力端子部２２ｉと第２ヒュージブルリンク３０の出力端子部３２ｄとが複数段で配置されている。
【００２２】
第１ヒュージブルリンク２０の端子接続部２２ｅに設けたボルト部２２ｆは、さらにオルタネータ（図示せず）に接続される電線の端末のＬ型端子５０に穿設したボルト孔５０ａにも貫通させている。即ち、端子接続部２２ｅに第２ヒュージブルリンク３０の入力端子部３２ａとＬ型端子５０を重ね合わせた状態でボルト部２２ｆにナット（図示せず）を螺合させて締結固定している。一方、第１ヒュージブルリンク２０の端子接続部２２ｃに設けたボルト部２２ｄは、スターター（図示せず）に接続される電線の端末のＬ型端子５１に穿設したボルト孔５１ａに貫通させ端子接続部２２ｃとＬ型端子５１を重ね合わせた状態でボルト部２２ｄにナット（図示せず）を螺合させて締結固定している。
【００２３】
第１、第２ヒュージブルリンク２０、３０のコネクタ嵌合部２１ｃ、３１ｃには、電線ｗ１、ｗ２の端末に接続したコネクタ５２、５３を嵌合しており、コネクタ嵌合部２１ｃ、３１ｃ内に突出する出力端子部２２ｉ、３２ｄを電線ｗ１、ｗ２に接続したコネクタ５２、５３内の端子（図示せず）と嵌合接続している。コネクタ５２、５３の外面の所要箇所には係止爪５２ａ、５３ａを設けており、これら係止爪５２ａ、５３ａをコネクタ嵌合部２１ｃ、３１ｃの係止孔２１ｄ、３１ｄに係止して、コネクタ５２、５３をコネクタ嵌合部２１ｃ、３１ｃ内に係止固定している。
【００２４】
また、第１ヒュージブルリンク２０の入力端子部２２ａのボルト孔２２ｂにバッテリー端子６０に設けたボルト部６１を貫通させ、該ボルト部６１にナット（図示せず）を螺合させて締結固定している。該バッテリー端子６０には、ボルト部６１と一体的にバッテリーポスト７１に外嵌する円弧部６２を設けており、該円弧部６２の両側先端より一対の締付片６３、６４を突出させて設け、これら締付片６３、６４にボルト孔６３ａ、６４ａを穿設している。バッテリー端子６０の円弧部６２をバッテリーポスト７１に外嵌し、締結片６３、６４のボルト孔６３ａ、６４ａに通したナットとボルトにより締付片６３、６４を締め付けて、バッテリー端子６０をバッテリーポスト７１に外嵌固定している。ヒューズユニット１０をバッテリーボックス７０に搭載した状態では、第１、第２ヒュージブルリンク２０、３０の溶断部２２ｈ、３２ｃがバッテリーボックス７０の上面に配置される一方、第１、第２ヒュージブルリンク２０、３０の出力端子部２２ｉ、３２ｄがバッテリーボックス７０の側面に沿って配置される。
【００２５】
バッテリー端子６０に取り付けた第１、第２ヒュージブルリンク２０、３０には上方からカバー４０を被せている。該カバー４０は上壁４０ａと該上壁４０ａの外周縁から下方に向けて突出する周壁４０ｂとからなり下面開口としている。カバー４０は一方側をバッテリー端子６０に被せるバッテリー端子収容部４０ｃとする一方、他方側を第１、第２ヒュージブルリンク２０、３０に被せるヒュージブルリンク収容部４０ｄとし、バッテリー端子収容部４０ｃの上壁４０ａとヒュージブルリンク収容部４０ｄの上壁４０ａとを薄肉ヒンジ部４０ｅで連結している。また、カバー４０の周壁４０ｂの所要箇所には前記Ｌ型端子５０、５１に接続した電線を外部へ引き出すための切欠４０ｆを設けている。さらに、カバー４０に設けた係止孔（図示せず）に第１、第２ヒュージブルリンク２０、３０に設けた係止爪（図示せず）を係止して、カバー４０を第１、第２ヒュージブルリンク２０、３０に係止固定している。
【００２６】
前記構成によれば、ヒューズユニット１０を２つの第１、第２ヒュージブルリンク２０、３０により構成し、これら第１、第２ヒュージブルリンク２０、３０を重ねて配置しているため、バッテリーボックス７０外面の限られたスペースに配置するヒューズユニット１０に多数の溶断部と出力端子部を設けることができる。よって、ヒューズユニット１０に設ける溶断部と出力端子部の個数が増えても、重ねて配置するヒュージブルリンクの個数を増やすことで全て直付けで対応できるため、バッテリーに電線を介して接続するバッテリーヒューズボックスを不要とすることができる。
なお、本実施形態では２つのヒュージブルリンクを組み合わせているが、３つ以上のヒュージブルリンクを組み合わせてもよい。この場合には、バッテリー端子に直接接続する１つのヒュージブルリンクのハウジングに縦軸を長尺としたＴ字状の係止突起を設け、他のヒュージブルリンクのコネクタ嵌合部の外壁に係止突起の縦軸を挿入するスリットを設けている。
【００２７】
図６乃至図８は、本発明の第２実施形態を示す。
本実施形態では、第１ヒュージブルリンク２０’と第２ヒュージブルリンク３０’との位置決め構造を第１実施形態を相違させている。
即ち、第１ヒュージブルリンク２０’のコネクタ嵌合部２１ｃ’の外壁の両側に係止突起となるＬ字状の両側枠部２１ｇ’を設け、該両側枠部２１ｇ’を被係止部となる第２ヒュージブルリンク３０’のコネクタ嵌合部３１ｃ’の両側壁に係止して、これらコネクタ嵌合部２１ｃ’、３１ｃ’同士を重ね合わせて保持している。
なお、本実施形態の第１ヒュージブルリンク２０’にはＴ字状の係止突起を設けておらず、第２ヒュージブルリンク３０’にはコネクタ嵌合部３１ｃ’の外壁にスリットを設けていない。
【００２８】
前記構成によっても、ヒューズユニット１０’を２つの第１、第２ヒュージブルリンク２０’、３０’により構成し、これら第１、第２ヒュージブルリンク２０’、３０’を重ねて配置しているため、バッテリーボックス外面の限られたスペースに配置するヒューズユニット１０’に多数の溶断部と出力端子部を設けることができる。
また、第１ヒュージブルリンク２０’の両側枠部２１ｇ’内に第２ヒュージブルリンク３０’のコネクタ嵌合部３１’を嵌合させているため、第１ヒュージブルリンク２０’と第２ヒュージブルリンク３０’との位置決めを容易にすることができる。
なお、他の構成及び作用効果は第１実施形態と同様のため、同一の符号を付して説明を省略する。
【図面の簡単な説明】
【００２９】
【図１】本発明の第１実施形態のヒューズユニットの分解斜視図である。
【図２】第１実施形態のヒューズユニットの斜視図である。
【図３】第１実施形態の第１ヒュージブルリンクを示し、（Ａ）は平面図、（Ｂ）は正面図、（Ｃ）は右側面図、（Ｄ）が底面図である。
【図４】第１実施形態の第２ヒュージブルリンクを示し、（Ａ）は平面図、（Ｂ）は正面図、（Ｃ）は右側面図、（Ｄ）が底面図である。
【図５】第１実施形態の第１ヒュージブルリンクと第２ヒュージブルリンクとを組み合わせた状態を示し、（Ａ）は平面図、（Ｂ）は正面図、（Ｃ）は右側面図、（Ｄ）が底面図である。
【図６】第２実施形態の第１ヒュージブルリンクを示し、（Ａ）は平面図、（Ｂ）は正面図、（Ｃ）は右側面図、（Ｄ）が底面図である。
【図７】第２実施形態の第２ヒュージブルリンクを示し、（Ａ）は平面図、（Ｂ）は正面図、（Ｃ）は右側面図、（Ｄ）が底面図である。
【図８】第２実施形態の第１ヒュージブルリンクと第２ヒュージブルリンクとを組み合わせた状態を示し、（Ａ）は平面図、（Ｂ）は正面図、（Ｃ）は右側面図、（Ｄ）が底面図である。
【図９】従来例を示す図面である。
【符号の説明】
【００３０】
１０  バッテリー接続用のヒューズユニット
２０  第１ヒュージブルリンク
２１  ハウジング
２１ｃ  コネクタ嵌合部
２１ｅ  Ｔ字状の係止突起
２１ｅ−１  縦軸
２１ｅ−２  横軸
２２  バスバー
２２ａ  入力端子部
２２ｈ  溶断部
２２ｉ  出力端子部
３０  第２ヒュージブルリンク
３１  ハウジング
３１ｃ  コネクタ嵌合部
３２  バスバー
３２ａ  入力端子部
３２ｃ  溶断部
３２ｄ  出力端子部
４０  カバー
５２、５３  コネクタ
６０  バッテリー端子
７０  バッテリーボックス
７１  バッテリーポスト
【図１】
2007087823.tif 000003
【図２】
2007087823.tif 000004
【図３】
2007087823.tif 000005
【図４】
2007087823.tif 000006
【図５】
2007087823.tif 000007
【図６】
2007087823.tif 000008
【図７】
2007087823.tif 000009
【図８】
2007087823.tif 000010
【図９】
2007087823.tif 000011